(57)【要約】【課題】  複数の撮影画像を時間的・空間的に違和感のないスライドショー表示を実現すること。【解決手段】  撮影日時情報が付加された複数の撮影画像を記憶する記憶部１１と、撮影画像を表示する表示部１４と、記憶部１１に記憶されている複数の撮影画像から表示部１４に表示する複数の再生対象画像を選択する入力部１３と、撮影日時順に並べ替えられた複数の再生対象画像に対し、撮影日時が隣接する再生対象画像相互間の時間間隔を取得し、複数の再生対象画像を表示部１４に表示させる場合は、取得した時間間隔に基づいて表示部１４に表示される再生対象画像の切り替え時における画像切替効果を制御するＣＰＵ１０と、を備える画像処理装置。【選択図】図１
2006260029.tif 000002
【特許請求の範囲】
【請求項１】
撮影日時情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の時間経過状況を示す時間経過状況情報を取得する取得手段と、
前記複数の再生対象画像を前記表示手段に順次表示させる場合は、前記取得した時間経過状況情報に基づいて前記表示手段に表示される再生対象画像の切り替え時における画像切替効果を制御する制御手段と、
を備えることを特徴とする画像処理装置。
【請求項２】
前記時間経過状況情報は、前記撮影日時が隣接する再生対象画像の撮影日時情報に基づく時間間隔又は撮影日付の変化の有無であること、
を特徴とする請求項１に記載の画像処理装置。
【請求項３】
前記時間経過状況情報の取得は、
前記各再生対象画像が前記表示手段に表示される度に取得されること、
を特徴とする請求項１又は２に記載の画像処理装置。
【請求項４】
前記時間経過状況情報の取得は、
前記撮影日時順に並べ替えられた複数の再生対象画像が前記表示手段に順次表示される前に、予め前記複数の再生対象画像全てに対する時間経過状況情報が取得されること、
を特徴とする請求項１又は２に記載の画像処理装置。
【請求項５】
前記制御手段は、
前記取得された時間経過状況情報に基づいて、予め設定されている複数の設定画像切替効果のうちいずれか１つを選択し、選択した設定画像切替効果で前記再生対象画像を切り替えること、
を特徴とする請求項１から４のいずれか一項に記載の画像処理装置。
【請求項６】
前記制御手段は、
前記取得された時間経過状況情報に基づいて、前記再生対象画像が切り替えられる際の画像切替効果を動作させるか否かを制御すること、
を特徴とする請求項１から５のいずれか一項に記載の画像処理装置。
【請求項７】
前記制御手段は、
各再生対象画像間の画像切替効果が予め設定されている場合、前記取得された時間経過状況情報に基づいて当該画像切替効果を変更すること、
を特徴とする請求項１から６のいずれか一項に記載の画像処理装置。
【請求項８】
前記画像切替効果の変更とは、
前記画像切替効果の動作が開始されてから終了されるまでの時間を変更すること、
を特徴とする請求項７に記載の画像処置装置。
【請求項９】
前記制御手段は、
各再生対象画像間の画像切替効果として予め設定されている画像切替効果の種類を他の種類に変更すること、
を特徴とする請求項７又は８に記載の画像処理装置。
【請求項１０】
撮影日時情報を含む付加情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の付加情報を比較する比較手段と、
前記複数の再生対象画像を前記表示手段に順次表示させる場合は、前記付加情報の比較結果に基づいて前記表示手段に表示される再生対象画像の切り替え時における画像切替効果を制御する制御手段と、
を備えることを特徴とする画像処理装置。
【請求項１１】
前記付加情報は、前記撮影画像が撮影された位置を示す撮影位置情報を含み、
前記比較手段は、
前記撮影日時が隣接する再生対象画像相互間の撮影位置情報を比較し、
前記制御手段は、当該比較結果に基づいて前記画像切替効果を制御すること、
を特徴とする請求項１０に記載の画像処理装置。
【請求項１２】
前記比較手段は、前記撮影日時が隣接する再生対象画像相互間の撮影位置の距離を算出し、算出された撮影位置の距離が予め設定されている基準距離以上であるか否かを判別し、
前記制御手段は、前記撮影位置の距離が前記基準距離以上であると判別された場合、前記画像切替効果を次順位の再生対象画像とは撮影位置が異なることをイメージさせる画像切替効果とすること、
を特徴とする請求項１１に記載の画像処理装置。
【請求項１３】
前記付加情報は、前記撮影画像が撮影された際にユーザが撮像装置に対して指定した撮影制御情報を含み、
前記比較手段は、
前記撮影日時が隣接する再生対象画像相互間の撮影制御情報を比較し、
前記制御手段は、当該比較結果に基づいて前記画像切替効果を制御すること、
を特徴とする請求項１０に記載の画像処理装置。
【請求項１４】
前記付加情報は、前記撮影画像を撮影した撮像装置を判別する機種情報を含み、
前記比較手段は、
前記撮影日時が隣接する再生対象画像相互間の機種情報を比較し、
前記制御手段は、当該比較結果に基づいて前記画像切替効果を制御すること、
を特徴とする請求項１０又は１３に記載の画像処理装置。
【請求項１５】
コンピュータを、
撮影日時情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の時間経過状況を示す時間経過状況情報を取得する取得手段と、
前記複数の再生対象画像を前記表示手段に順次表示させる場合は、前記取得した時間経過状況情報に基づいて前記表示手段に表示される再生対象画像の切り替え時における画像切替効果を制御する制御手段と、
して機能させることを特徴とするプログラム。
【請求項１６】
コンピュータを、
撮影日時情報を含む付加情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の付加情報を比較する比較手段と、
前記複数の再生対象画像を前記表示手段に順次表示させる場合は、前記付加情報の比較結果に基づいて前記表示手段に表示される再生対象画像の切り替え時における画像切替効果を制御する制御手段と、
として機能させることを特徴とするプログラム。
【発明の詳細な説明】
【技術分野】
【０００１】
本発明は、複数の撮影画像を表示画面上に順次表示する画像処理装置及びプログラムに関する。
【背景技術】
【０００２】
撮影時に設定された撮影情報が付加された撮影画像を複数記憶し、当該撮影画像をＬＣＤ（Liquid Crystal Display）等の表示部に表示することができる画像処理装置がある。例えば、ＧＰＳ衛星からの電波を受信し、自己の現在地の位置情報を取得し、取得した位置情報に基づいて位置関連情報を取得し、取得した位置関連情報と撮影した画像情報とを関連付けて記憶する技術が開示されている（特許文献１又は２参照）。
【０００３】
また、このような画像処理装置は、記憶されている複数の撮影画像を連続的に切り替えてスライドショー表示する機能を有している。例えば、フィルムの各駒毎に記憶されている特定情報（タイトル情報、位置情報、地名情報）を読み取り、読み取った特定情報を分別し、分別内容に基づいて表示順序を決定する画像再生装置が開示されている（特許文献３参照）。
【０００４】
しかし、スライドショー表示される撮影画像は、表示される画像が、無地の背景に一人の人が表示されている画像であったり、屋外で多数の人が表示されている画像であったりするため、画像毎にユーザが画像内容を認識する時間が異なる場合がある。そこで、表示する画像の複雑度を評価し、評価結果に従って、複雑度の高い画像ほど表示する時間を長くして、視聴者が画像を認識し易くする画像表示システムが開示されている（特許文献４参照）。
【特許文献１】特開平９−１３５４１６号公報
【特許文献２】特開平１１−７２３４８号公報
【特許文献３】特開平１１−３４４７７１号公報
【特許文献４】特開２００４−７８９２７号公報
【発明の開示】
【発明が解決しようとする課題】
【０００５】
しかしながら、従来のスライドショー表示は、表示される複数の撮影画像の撮影日時や撮影場所（時間的・空間的な間隔）が非常に近接しており撮影内容が類似している撮影画像である場合や、撮影日時や撮影場所に大きな隔たりがあり撮影内容が異なる撮影画像がある場合であっても、予め設定された画像切替効果で順次切り替えられている。
【０００６】
スライドショー表示される撮影画像を鑑賞するユーザにとっては、撮影日時や撮影場所が大きく異なる撮影画像が切り替えられる場合と、撮影日時や撮影場所が類似している撮影画像が切り替えられる場合とが、同一の画像切替効果で切り替えられることは、画像間の時間経過や空間的な距離差を意識することができず違和感があるものである。屋内撮影の場合と屋外撮影の場合のように撮影時の環境が異なる場合も同様である。更に、複数の撮像装置によって撮影された複数の撮影画像がスライドショー表示される場合も、撮像装置の性能が異なるため、同一の画像切替効果で切り替えられることには、違和感があるものである。
【０００７】
従って、本発明の課題は、複数の撮影画像を時間的・空間的に違和感のないスライドショー表示を実現することである。
【課題を解決するための手段】
【０００８】
請求項１に記載の発明は、撮影日時情報が付加された複数の撮影画像を記憶する記憶手段と、前記撮影画像を表示する表示手段と、前記記憶手段に記憶されている前記複数の撮影画像から前記表示手段に表示する複数の再生対象画像を選択する選択操作手段と、撮影日時順に並べ替えられた前記複数の再生対象画像に対し、撮影日時が隣接する再生対象画像相互間の時間経過状況を示す時間経過状況情報を取得する取得手段と、前記複数の再生対象画像を前記表示手段に順次表示させる場合は、前記取得した時間経過状況情報に基づいて前記表示手段に表示される再生対象画像の切り替え時における画像切替効果を制御する制御手段と、を備える画像処理装置であること、を特徴としている。
更に、コンピュータに対して、上述した請求項１に記載の発明に示した主要手段を機能させるためのプログラムを提供する（請求項１５に記載の発明）。
【０００９】
請求項２に記載の発明は、請求項１に記載の画像処理装置において、前記時間経過状況情報は、前記撮影日時が隣接する再生対象画像の撮影日時情報に基づく時間間隔又は撮影日付の変化の有無であること、を特徴としている。
【００１０】
請求項３に記載の発明は、請求項１又は２に記載の画像処理装置において、前記時間経過状況情報の取得は、前記各再生対象画像が前記表示手段に表示される度に取得されること、を特徴としている。
【００１１】
請求項４に記載の発明は、請求項１又は２に記載の画像処理装置において、前記時間経過状況情報の取得は、前記撮影日時順に並べ替えられた複数の再生対象画像が前記表示手段に順次表示される前に、予め前記複数の再生対象画像全てに対する時間経過状況情報が取得されること、を特徴としている。
【００１２】
請求項５に記載の発明は、請求項１から４のいずれか一項に記載の画像処理装置において、前記制御手段は、前記取得された時間経過状況情報に基づいて、予め設定されている複数の設定画像切替効果のうちいずれか１つを選択し、選択した設定画像切替効果で前記再生対象画像を切り替えること、を特徴としている。
【００１３】
請求項６に記載の発明は、請求項１から５のいずれか一項に記載の画像処理装置において、前記制御手段は、前記取得された時間経過状況情報に基づいて、前記再生対象画像が切り替えられる際の画像切替効果を動作させるか否かを制御すること、を特徴としている。
【００１４】
請求項７に記載の発明は、請求項１から６のいずれか一項に記載の画像処理装置において、前記制御手段は、各再生対象画像間の画像切替効果が予め設定されている場合、前記取得された時間経過状況情報に基づいて当該画像切替効果を変更すること、を特徴としている。
【００１５】
請求項８に記載の発明は、請求項７に記載の画像処置装置において、前記画像切替効果の変更とは、前記画像切替効果の動作が開始されてから終了されるまでの時間を変更すること、を特徴としている。
【００１６】
請求項９に記載の発明は、請求項７又は８に記載の画像処理装置において、前記制御手段は、各再生対象画像間の画像切替効果として予め設定されている画像切替効果の種類を他の種類に変更すること、を特徴としている。
【００１７】
請求項１０に記載の発明は、撮影日時情報を含む付加情報が付加された複数の撮影画像を記憶する記憶手段と、前記撮影画像を表示する表示手段と、前記記憶手段に記憶されている前記複数の撮影画像から前記表示手段に表示する複数の再生対象画像を選択する選択操作手段と、撮影日時順に並べ替えられた前記複数の再生対象画像に対し、撮影日時が隣接する再生対象画像相互間の付加情報を比較する比較手段と、前記複数の再生対象画像を前記表示手段に順次表示させる場合は、前記付加情報の比較結果に基づいて前記表示手段に表示される再生対象画像の切り替え時における画像切替効果を制御する制御手段と、を備える画像処理装置であること、を特徴としている。
更に、コンピュータに対して、上述した請求項１に記載の発明に示した主要手段を機能させるためのプログラムを提供する（請求項１６に記載の発明）。
【００１８】
請求項１１に記載の発明は、請求項１０に記載の画像処理装置において、前記付加情報は、前記撮影画像が撮影された位置を示す撮影位置情報を含み、前記比較手段は、前記撮影日時が隣接する再生対象画像相互間の撮影位置情報を比較し、前記制御手段は、当該比較結果に基づいて前記画像切替効果を制御すること、を特徴としている。
【００１９】
請求項１２に記載の発明は、請求項１１に記載の画像処理装置において、前記比較手段は、前記撮影日時が隣接する再生対象画像相互間の撮影位置の距離を算出し、算出された撮影位置の距離が予め設定されている基準距離以上であるか否かを判別し、前記制御手段は、前記撮影位置の距離が前記基準距離以上であると判別された場合、前記画像切替効果を次順位の再生対象画像とは撮影位置が異なることをイメージさせる画像切替効果とすること、を特徴としている。
【００２０】
請求項１３に記載の発明は、請求項１０に記載の画像処理装置において、前記付加情報は、前記撮影画像が撮影された際にユーザが撮像装置に対して指定した撮影制御情報を含み、前記比較手段は、前記撮影日時が隣接する再生対象画像相互間の撮影制御情報を比較し、前記制御手段は、当該比較結果に基づいて前記画像切替効果を制御すること、を特徴としている。
【００２１】
請求項１４に記載の発明は、請求項１０又は１３に記載の画像処理装置において、前記付加情報は、前記撮影画像を撮影した撮像装置を判別する機種情報を含み、前記比較手段は、前記撮影日時が隣接する再生対象画像相互間の機種情報を比較し、前記制御手段は、当該比較結果に基づいて前記画像切替効果を制御すること、を特徴としている。
【発明の効果】
【００２２】
請求項１、１５に記載の発明によれば、撮影日時順に並べ替えられた複数の再生対象画像が順次表示される場合、撮影日時が隣接する再生対象画像相互間の時間経過状況情報に基づいて、再生対象画像が切り替えられる際の画像切替効果を制御することができるため、ユーザに対して複数の撮影画像を時間的に違和感なく再生対象画像を順次表示させることができる。
【００２３】
請求項２に記載の発明によれば、請求項１と同様の効果を得られるのは勿論のこと、時間経過状況情報が隣接する再生対象画像の撮影日時情報に基づく時間間隔又は撮影日付の変化の有無であることにより、隣接する再生対象画像間の時間的な差に基づいて再生対象画像が切り替えられる際の画像切替効果を制御でき、再生対象画像間の時間的な違和感を低減することができる。
【００２４】
請求項３に記載の発明によれば、請求項１又は２と同様の効果を得られるのは勿論のこと、時間経過状況情報の取得は、再生対象画像が表示手段に表示される度に取得されるため、事前に時間経過状況の取得という準備動作の必要がなく、ユーザに対して待ち時間なく直ちに再生対象画像を順次表示させることができる。
【００２５】
請求項４に記載の発明によれば、請求項１又は２と同様の効果を得られるのは勿論のこと、撮影日時順に並べ替えられた複数の再生対象画像が順次表示される前に、予め複数の再生対象画像全てに対する時間経過状況情報が取得されるため、再生対象画像が順次表示される際の制御負荷を低減させることができる。
【００２６】
請求項５に記載の発明によれば、請求項１から４のいずれか一項と同様の効果を得られるのは勿論のこと、取得された時間経過状況情報に基づいて複数の設定画像切替効果から選択された画像切替効果で再生対象画像が切り替えられるため、再生対象画像を順次表示させる際の制御負荷を低減させることができる。
【００２７】
請求項６に記載の発明によれば、請求項１から５のいずれか一項と同様の効果を得られるのは勿論のこと、取得された時間経過状況情報に基づいて画像切替効果を動作させるか否かを制御することができるため、再生対象画像間の時間的な違和感を低減することができる。
【００２８】
請求項７に記載の発明によれば、請求項１から６のいずれか一項と同様の効果を得られるのは勿論のこと、時間経過状況情報に基づいて予め設定されている画像切替効果が変更されるため、撮影日時が隣接する再生対象画像間では他の再生対象画像間とは異なる変化があったことをユーザに示すことができ、ユーザに対して当該再生対象画像間は他の再生対象画像間とは時間経過が異なることを意識させることができる。
【００２９】
請求項８に記載の発明によれば、請求項７と同様の効果を得られるのは勿論のこと、画像切替効果の動作の開始から終了までの切替効果時間が変更されることにより、撮影日時が隣接する再生対象画像間では他の再生対象画像間とは異なる変化があったことをユーザに示すことができる。
【００３０】
請求項９に記載の発明によれば、請求項７又は８と同様の効果を得られるのは勿論のこと、予め設定されている画像切替効果が他の画像切替効果に変更されることにより、撮影日時が隣接する再生対象画像間では他の再生対象画像間とは異なる変化があったことをユーザに示すことができる。
【００３１】
請求項１０、１６に記載の発明によれば、撮影日時順に並べ替えられた複数の再生対象画像が順次表示される場合、撮影日時が隣接する再生対象画像相互間の付加情報の比較結果に基づいて、再生対象画像が切り替えられる際の画像切替効果を制御することができるため、ユーザに対して違和感なく再生対象画像を順次表示させることができる。
【００３２】
請求項１１に記載の発明によれば、請求項１０と同様の効果を得られるのは勿論のこと、付加情報が撮影位置情報を含み、隣接する再生対象画像相互間の撮影位置情報の比較結果に基づいて画像切替効果を制御することができ、空間的な違和感なく再生対象画像を順次表示させることができる。
【００３３】
請求項１２に記載の発明によれば、請求項１１と同様の効果を得られるのは勿論のこと、隣接する再生対象画像相互間の撮影位置の距離が予め設定されている基準距離以上である場合、画像切替効果を撮影位置が異なることをイメージさせる画像切替効果とすることができるため、当該再生対象画像間が空間的な差異があることを示すことができ、空間的な違和感なく再生対象画像を順次表示させることができる。
【００３４】
請求項１３に記載の発明によれば、請求項１０と同様の効果を得られるのは勿論のこと、付加情報が撮影制御情報を含み、隣接する再生対象画像相互間の撮影制御情報の比較結果に基づいて画像切替効果を制御することができ、各再生対象画像の撮像装置に対して指定された情報の差異によって異なる再生対象画像相互間の空間的な違和感を低減させることができる。
【００３５】
請求項１４に記載の発明によれば、請求項１０又は１３と同様の効果を得られるのは勿論のこと、付加情報が機種情報を含み、隣接する再生対象画像相互間の機種情報の比較結果に基づいて画像切替効果を制御することができ、撮像装置毎に異なる性能の差異によって異なる再生対象画像相互間の空間的な違和感を低減させることができる。
【発明を実施するための最良の形態】
【００３６】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００３７】
［実施の形態１］
まず、構成を説明する。
図１に、本実施の形態１における画像処理装置１の構成を示すブロック図を示す。
【００３８】
図１に示すように、画像処理装置１は、ＣＰＵ（Central Processing Unit）１０、記憶部１１、記録媒体読出部１２、入力部１３、表示部１４、通信部１５を備え、各部はバス１６により互いに電気的に接続されてなる。
【００３９】
ＣＰＵ１０は、記憶部１１に記憶されているシステムプログラムを読み出し、記憶部１１内に形成されたワークエリアに展開し、該システムプログラムに従って各部を制御する。また、ＣＰＵ１０は、記録部１１に記憶されているスライドショー表示プログラムを始めとする各種処理プログラムを読み出してワークエリアに展開し、各種処理を実行する。
【００４０】
ＣＰＵ１０は、記憶部１１との協働によって、本実施の形態１を実現させるために、記録媒体読出部１２から読み出された又は通信部１５を介して受信した撮影画像及び撮影画像に付加された撮影日時情報を記憶部１１に記憶させ、記憶部１１に記憶されている撮影画像を表示部１４に表示させ、入力部１３からの操作信号に基づいて選択された複数の再生対象画像を各再生対象画像の撮影日時情報に基づいて撮影日時順に並べ替える。そしてＣＰＵ１０は、撮影日時順に並べ替えられた複数の再生対象画像に対し、撮影日時が隣接する（時系列的に前後する）再生対象画像相互間の撮影日時情報に基づく時間間隔（時間経過状況情報）を取得する取得手段であり、また、選択された複数の再生対象画像を表示部１４に順次表示（スライドショー表示）させる場合は、取得された時間間隔に基づいて表示部１４に表示される再生対象画像の切り替え時における画像切替効果を制御する制御手段である。
【００４１】
記憶部１１は、プログラム記憶エリア、データ記憶エリア、及びワークエリアを有している。プログラム記憶エリアには、画像処理装置１に対応するシステムプログラム、本実施の形態１を実現させるためのスライドショー表示プログラム等の各種処理プログラムが予め記憶されており、データ記憶エリアには、各種データ等が予め記憶されており、また、記録媒体読出部１２から読み出された又は通信部１５を介して受信した撮影日時情報が付加された撮影画像等の各種データと、複数の画像切替効果を実現するための各種プログラム及びデータを記憶する記憶手段である。
【００４２】
画像切替効果は、スライドショー表示が実行される際において、表示部１４の表示画面上に表示される再生対象画像が次の再生対象画像に切り替えられる際のトランジション効果である。画像切替効果の種類としては、例えば、表示されている画像が徐々に消えていくと共に次の画像が現れてくるように画像を切り替える「フェードイン／フェードアウト」、境界線の動きに合わせて表示されている画像を拭き取って次の画像を表示させる「ワイプ」、次の画像が表示画面上の一方向から移動されて切り替えられる「スライド」、表示されている画像が表示画面上の一端部から書籍のページをめくるように切り替える「ページ」、その他「ブラインド」、「カーテン」、「モザイク」等が挙げられる。また、各画像切替効果は、各画像切替効果が開始されてから終了するまでの時間（基準切替効果時間）が予め設定されている。
【００４３】
更に、本実施の形態１の画像切替効果として、時間経過を示す画像切替効果が記憶されている。図２に、表示部１４の表示画面上に表示される画像が時間経過を示す画像切替効果によって切り替わる場合の表示画面の一例を示す。
【００４４】
図２に示すように、表示画面上に画像Ａから画像Ｂに切り替わる場合、画面Ａから画像Ｂとの間に、あたかも画像Ａから画像Ｂに予め定められた時間に連続して視線を移動させたかのように見える画像（即ち、画像Ａから画像Ｂにパンしたように見える画像）が表示される。図２示す画像Ａと画像Ｂとの間の画像は、画像Ａから画像Ｂへ時間経過で画像が流れるイメージを示す図である。
【００４５】
撮影画像は、静止画像及び動画像を含む意である。撮影日時情報は、撮影画像が撮影されたときの撮影時間及び撮影年月日（撮影日付）である。なお、撮影画像が動画像である場合、撮影時間は、動画像が撮影開始時の時間又は撮影終了時の時間のいずれか一方を示す。
【００４６】
この記録部１１は、磁気的、光学的記録媒体、若しくは半導体メモリなどＣＰＵ１０で読み取り可能な電気的に消去及び書き替えが可能な不揮発メモリや、揮発メモリなどの記憶媒体を含んだ構成であり、この記憶媒体はＣＤ−ＲＯＭ（Compact Disc Read Only Memory）、メモリカード等の可搬型の媒体やハードディスク等の固定的な媒体を含む。
【００４７】
記録媒体読出部１２は、例えばフラッシュメモリカード、スマートメディアカード、フロッピー（登録商標）ディスク、ＣＤ（Compact Disk）等の各種記録媒体に対応した記録媒体挿入口を備え、記録媒体挿入口に装着された記録媒体から撮影画像及び撮影画像に付加された撮影日時情報を読み出して取得する。なお、記録媒体としては上述したものに限らず、例えばＳＤ（Secure Digital）カード、ＰＣカード、ＭＯ（Magneto Optic）等、その他の半導体メモリ、磁気的又は光学的記録媒体であってもよい。
【００４８】
入力部１３は、カーソルキー、数字入力キー及び各種機能キー等を備えたキーボード、ポインティングデバイスであるマウス等を備え、キーボードで押下されたキーの押下信号をＣＰＵ１０に出力するとともに、マウスによる操作信号をＣＰＵ１０に出力することで、複数の撮影画像からスライドショー表示される再生対象画像を選択する操作選択手段である。
【００４９】
表示部１４は、例えば、ＬＣＤ（Liquid Crystal Display)などからなる表示画面によって構成され、ＣＰＵ１０から入力される表示信号の指示に従って、表示画面上に、撮影画像及び各種操作画面等の各種情報を表示する表示手段である。
【００５０】
通信部１５は、モデム（ＭＯＤＥＭ：MOdulater/DEModulater）又はターミナルアダプタ（ＴＡ：Terminal Adapter）、ネットワークカード等によって構成され、ＷＡＮ（Wide Area Network）やＬＡＮ（Local Area Network）等の通信ネットワークを介して外部機器との通信を行うための制御を行う。例えば、通信部１５は、通信ネットワークを介して外部機器から撮影画像及び撮影画像に付加された撮影日時情報を受信しＣＰＵ１０に出力することが可能である。
【００５１】
次に、本実施の形態１の動作を説明する。
図３、４に、本実施の形態１おけるスライドショー表示処理を示す。当該処理及びその処理において実行される各処理は、ＣＰＵ１０と記憶部１１に記憶されたプログラム及びデータとの協働によるソフトウェア処理により実現するものである。
【００５２】
まず、スライドショー表示処理が開始されると、記憶部１１に記憶されている複数の撮影画像が読出され、読み出された複数の撮影画像は、表示部１４の表示画面上に表示される。表示画面上に表示された複数の撮影画像からスライドショー表示の対象となる撮影画像が入力部１３をユーザが操作することにより選択され再生対象画像として設定される（ステップＳ１）。
【００５３】
また、ユーザが入力部１３を操作することにより、各再生対象画像が表示される時間（再生時間）が設定され（ステップＳ２）、更に表示される再生対象画像が次の再生対象画像に切り替わるときの画像切替効果が設定される（ステップＳ３）。
【００５４】
ステップＳ３は、ユーザが入力部１３を操作することにより、複数の画像切替効果（例えば、ワイプ、スライド、ブラインド等）のうちいずれか１つを選択、又はいずれも選択しない（画像切替効果無し）の操作を行う。複数の画像切替効果のうちいずれかが選択された場合、画像切替効果設定有りとし、いずれも選択されなかった場合、画像切替効果設定無しとする。
【００５５】
再生時間及び画像切替効果が設定された後、設定された複数の再生対象画像は、各再生対象画像に付加された撮影日時情報が参照され、撮影日時順に並び替えられる（ステップＳ４）。
【００５６】
複数の再生対象画像が撮影日時順に並び替えられた後（ステップＳ４後）、先頭の再生対象画像が指定され（ステップＳ５）、指定された再生対象画像が表示部１４の表示画面上に表示される（ステップＳ６）。
【００５７】
そして、指定された再生対象画像に付加されている撮影日時情報が読出される（ステップＳ７）と共に、指定された再生対象画像の次順位の再生対象画像に付加されている撮影日時情報が読み出される（ステップＳ８）。
【００５８】
読み出された指定された再生対象画像の撮影日時情報と次順位の再生対象画像の撮影日時情報とが比較され、時間経過状況情報としての相互間の時間間隔Ｔｉ（時間差）が取得される（ステップＳ９）。
【００５９】
ステップＳ３において画像切替効果設定有りか否かが判別される（ステップＳ１０）。画像切替効果設定有りと判別された場合（ステップＳ１０；Ｙｅｓ）、ステップＳ３において設定された画像切替効果が指定され、取得された時間間隔Ｔｉは２４時間以上であるか否かが判別される（ステップＳ１１）。
【００６０】
時間間隔Ｔｉが２４時間以上であると判別された場合（ステップＳ１１；Ｙｅｓ）、指定された画像切替効果が開始されてから終了するまでの切替効果時間Ｔｃが、基準切替効果時間Ｔの２倍に指定される（ステップＳ１２）。
【００６１】
時間間隔Ｔｉが２４時間未満であると判別された場合（ステップＳ１１；Ｎｏ）、時間間隔Ｔｉが１０分未満であるか否かが判別され（ステップＳ１３）、時間間隔Ｔｉが１０分未満であると判別された場合（ステップＳ１３；Ｙｅｓ）、指定された再生対象画像から次順位の再生対象画像に画面が切り替わる際はステップＳ３で設定された画像切替効果から画像切替効果無しに変更されるよう指定される（ステップＳ１４）。
【００６２】
ステップＳ３において画像切替効果設定無しと判別された場合（ステップＳ１０；Ｎｏ）、算出された時間間隔Ｔｉに基づいて指定された再生対象画像と次順位の再生対象画像の日付が異なるか否かが判別され（ステップＳ１５）、日付が異なると判別された場合（ステップＳ１５；Ｙｅｓ）、指定された再生対象画像から次順位の再生対象画像に画面が切り替わる際は時間経過を示す画像切替効果に指定される（ステップＳ１６）。同一日付と判別された場合（ステップＳ１５；Ｎｏ）、画像切替効果設定無しの設定状態が保持される。
【００６３】
時間経過を示す画像切替効果に指定された後（ステップＳ１６後）又は時間間隔Ｔｉが１０分以上であると判別された場合（ステップＳ１３；Ｎｏ）、切替効果時間Ｔｃが予め設定されている基準切替効果時間Ｔに指定される（ステップＳ１７）。
【００６４】
ステップＳ１０〜１７によって、時間間隔Ｔｉに基づく画像切替効果の変更及び画像切替効果の切替効果時間の変更、画像切替動作を動作させるか否かの設定が実現される。また、ステップＳ１１、ステップＳ１３に示すように時間間隔Ｔｉと比較される２４時間、１０分の予め設定された比較時間情報と、予め設定された基準切替効果時間Ｔ、及び切替効果時間を算出する倍率は、これに限らない。
【００６５】
このように、ユーザによって予め設定された（ステップＳ３で設定された）画像切替効果が、指定された再生対象画像と次順位の再生対象画像との時間間隔Ｔｉに基づいて他の画像切替効果への変更、画像切替効果設定無しへの変更及び画像切替効果の切替効果時間の変更が行われるため、指定された再生対象画像と次順位の再生対象画像の間では、他の再生対象画像間とは異なる変化があったことをユーザに示すことができ、ユーザに対して予め設定されていた画像切替効果とは異なる画像切替効果に変更された再生対象画像間は、他の再生対象画像間とは時間経過が異なることを意識させることができる。
【００６６】
画像切替効果及び切替効果時間が指定された後（ステップＳ１２、Ｓ１４、Ｓ１７又はステップＳ１５；Ｎｏ後）、指定された再生対象画像は、表示部１４の表示画面上に表示されてからステップＳ２において設定された再生時間が経過したか否かが判別され（ステップＳ１８）、再生時間が経過していないと判別された場合（ステップＳ１８；Ｎｏ）、再生時間が経過するまで待機する（ステップＳ１８に戻る）。
【００６７】
設定された再生時間が経過したと判別された場合（ステップＳ１８；Ｙｅｓ）、設定された全再生対象画像が全て表示されたか否かが判別され（ステップＳ１９）、全再生対象画像が表示されたと判別された場合（ステップＳ１９；Ｙｅｓ）、スライドショー表示が終了される。
【００６８】
未表示の再生対象画像がある場合（ステップＳ１９；Ｎｏ）、次順位の再生対象画像が指定され（ステップＳ２０）、表示されている再生対象画像（ステップＳ１９以前に指定された再生対象画像）は、画像切替効果が指定されているか否かが判別される（ステップＳ２１）。
【００６９】
表示されている再生対象画像は、画像切替効果が指定されている判別された場合（ステップＳ２１；Ｙｅｓ）、表示されている再生対象画像から次の再生対象画像へ指定された画像切替効果及び切替効果時間Ｔｃで画像が切り替えられ（ステップＳ２２）ステップＳ６に戻る。
【００７０】
表示されている再生対象画像は、画像切替効果が指定されていない（画像切替効果無し）と判別された場合（ステップＳ２１；Ｎｏ）、ステップＳ２０において指定され次順位の再生対象画像が表示される（ステップＳ６に戻る）。
【００７１】
（変形例）
実施の形態１の変形例を説明する。本変形例は、実施の形態１と装置構成が同様であり、撮影日時が隣接する再生対象画像相互間の時間経過状況情報の比較結果（時間間隔Ｔｉ）に基づいて、予め設定されている複数の設定画像切替効果のうちいずれか１つを選択して、画像を切替るよう制御するため、その他同様の部分の説明を省略する。
【００７２】
本変形例においては、記憶部１１に時間経過を示す画像切替効果に加え、第１画像切替効果と第２画像切替効果を記憶している。第１画像切替効果は、ユーザが設定した画像切替効果及び時間経過を示す画像切替効果とは異なる種類の画像切替効果である。第２画像切替効果は、ユーザが設定した画像切替効果、時間経過を示す画像切替効果及び第１画像切替効果とは異なる種類の画像切替効果である。
【００７３】
例えば、ユーザによって設定された画像切替効果が「ワイプ」であった場合、第１画像切替効果としては「スライド」、第２画像切替効果としては「ブラインド」が選択され設定される。
【００７４】
図５に、本変形例におけるスライドショー表示処理を示す。当該処理及びその処理において実行される各処理は、ＣＰＵ２０と記憶部２１に記憶されたプログラム及びデータとの協働によるソフトウェア処理により実現するものである。
【００７５】
本変形例のステップＳ３１よりも前の動作は、実施の形態１のステップＳ１〜９と同様であるため、図示及び説明は省略する。
【００７６】
指定された再生対象画像と次順位の再生対象画像との時間間隔Ｔｉが算出された後、ステップＳ３において画像切替効果設定有りか否かが判別される（ステップＳ３１）。画像切替効果設定有りと判別された場合（ステップＳ３１；Ｙｅｓ）、取得された時間間隔Ｔｉに基づいて、指定された再生対象画像と次順位の再生対象画像の月が異なるか否かが判別される（ステップＳ３２）。
【００７７】
月が異なると判別された場合（ステップＳ３２；Ｙｅｓ）、ステップＳ３で設定された画像切替効果から時間経過を示す画像切替効果に変更されるよう指定される（ステップＳ３３）。
【００７８】
同一月であると判別された場合（ステップＳ３２；Ｎｏ）、ステップＳ３で設定された画像切替効果が変更されず保持される（ステップＳ３４）。
【００７９】
ステップＳ３において画像切替効果設定無しと判別された場合（ステップＳ３１；Ｎｏ）、算出された時間間隔Ｔｉに基づいて、指定された再生対象画像と次順位の再生対象画像の年月が異なるか否かが判別さる（ステップＳ３５）。
【００８０】
年月が異なると判別された場合（ステップＳ３５；Ｙｅｓ）、ステップＳ３で設定された画像切替効果が第１画像切替効果に変更されるよう指定される（ステップＳ３６）。
【００８１】
同一年月であると判別された場合（ステップＳ３５；Ｎｏ）、算出された時間間隔Ｔｉに基づいて、指定された再生対象画像と次順位の再生対象画像の日が異なるか否かが判別され（ステップＳ３７）、日が異なると判別された場合（ステップＳ３７；Ｙｅｓ）、ステップＳ３で設定された画像切替効果が第２画像切替効果に変更されるよう指定される（ステップＳ３８）。同一日であると判別された場合（ステップＳ３７；Ｎｏ）、画像切替効果設定無しの設定状態が保持される。
【００８２】
ステップＳ３１〜３８によって、時間間隔Ｔｉに基づいて複数の画像切替効果のうちいずれか１つが選択され、画像切替効果の変更、画像切替効果設定無しへの変更が実現される。また、ステップＳ３２、ステップＳ３５、ステップＳ３７に示すように判別基準はこれに限らず、その他の年・月・日又はこれらの組み合わせであってもよい。
【００８３】
このように、ユーザによって予め設定された（ステップＳ３で設定された）画像切替効果が、指定された再生対象画像と次順位の再生対象画像との時間間隔Ｔｉに基づいて他の画像切替効果への変更、画像切替効果無しへの変更が行われるため、指定された再生対象画像と次順位の再生対象画像の間では、他の再生対象画像間とは異なる変化があったことをユーザに示すことができ、ユーザに対して予め設定されていた画像切替効果とは異なる画像切替効果に変更された再生対象画像間は、他の再生対象画像間とは時間経過が異なることを意識させることができる。
【００８４】
画像切替効果が設定された後（ステップＳ３３、Ｓ３４、Ｓ３６、Ｓ３８又はステップＳ３７；Ｎｏ後）、指定された再生対象画像は、表示部１４の表示画面上に表示されてから設定された再生時間が経過したか否かが判別され（ステップＳ３９）、再生時間が経過していないと判別された場合（ステップＳ３９；Ｎｏ）、再生時間が経過するまで待機する（ステップＳ３９に戻る）。
【００８５】
設定された再生時間が経過したと判別された場合（ステップＳ３９；Ｙｅｓ）、設定された全再生対象画像が全て表示されたか否かが判別され（ステップＳ４０）、全再生対象画像が表示されたと判別された場合（ステップＳ４０；Ｙｅｓ）、スライドショー表示が終了される。
【００８６】
未表示の再生対象画像がある場合（ステップＳ４０；Ｎｏ）、次順位の再生対象画像が指定され（ステップＳ４１）、表示されている再生対象画像（ステップＳ４０以前に指定された再生対象画像）は、画像切替効果が指定されているか否かが判別される（ステップＳ４２）。
【００８７】
表示されている再生対象画像は、画像切替効果が指定されていると判別された場合（ステップＳ４２；Ｙｅｓ）、表示されている再生対象画像から次の再生対象画像へ指定された画像切替効果で画像が切り替えられ（ステップＳ４３）ステップＳ６に戻る。
【００８８】
表示されている再生対象画像は、画像切替効果が指定されていない（画像切替効果設定無し）と判別された場合（ステップＳ４２；Ｎｏ）、ステップＳ４１において指定された次順位の再生対象画像が表示される（ステップＳ６）。
【００８９】
このように、実施の形態１及び変形例によれば、撮影日時順に並べ替えられた複数の再生対象画像が順次表示される場合（スライドショー表示される場合）、撮影日時が隣接する再生対象画像相互間の撮影日時情報に基づく時間間隔Ｔｉに基づいて、表示部１４に表示される再生対象画像の切り替え時における画像切替効果を制御させることができるため、ユーザに対して複数の再生対象画像を時間的に違和感のないスライドショー表示を実現することができる。また、時間間隔Ｔｉの算出が再生対象画像が表示される度に算出されるため、事前に時間経過状況の取得という準備動作の必要がなく、ユーザに対して待ち時間なく直ちにスライドショー表示させることができる。
【００９０】
［実施の形態２］
以下、本発明の実施の形態２を詳細に説明する。
まず、構成を説明する。
図６に、本実施の形態２における画像処理装置２の構成を示すブロック図を示す。
【００９１】
図６に示すように、画像処理装置２は、ＣＰＵ（Central Processing Unit）２０、記憶部２１、記録媒体読出部１２、入力部１３、表示部１４、通信部１５を備え、各部はバス１６により互いに電気的に接続されてなる。なお、実施の形態１と同様の部位には同様の符号を付し、説明は省略する。
【００９２】
ＣＰＵ２０は、記憶部２１に記憶されているシステムプログラムを読み出し、記憶部２１内に形成されたワークエリアに展開し、該システムプログラムに従って各部を制御する。また、ＣＰＵ２０は、記録部２１に記憶されているスライドショー表示プログラムを始めとする各種処理プログラムを読み出してワークエリアに展開し、各種処理を実行する。
【００９３】
ＣＰＵ２０は、記憶部２１との協働によって、本実施の形態２を実現させるために、記録媒体読出部１２から読み出された又は通信部１５を介して受信した撮影画像及び撮影画像に付加された撮影日時情報を含む付加情報を記憶部２１に記憶させ、記憶部２１に記憶されている撮影画像を表示部１４に表示させ、入力部１３からの操作信号に基づいて選択された複数の再生対象画像を各再生対象画像の撮影日時情報に基づいて撮影日時順に並べ替える。そしてＣＰＵ２０は、撮影日時順に並べ替えられた複数の再生対象画像に対し、撮影日時が隣接する再生対象画像相互間の付加情報を比較する比較手段であり、また、選択された複数の再生対象画像を表示部１４に順次表示（スライドショー表示）させる場合は、付加情報の比較結果に基づいて表示部１４に表示される再生対象画像の切り替え時における画像切替効果を制御する制御手段である。
【００９４】
記憶部２１は、プログラム記憶エリア、データ記憶エリア、及びワークエリアを有している。プログラム記憶エリアには、画像処理装置２に対応するシステムプログラム、本実施の形態２を実現させるためのスライドショー表示プログラム等の各種処理プログラムが予め記憶されており、データ記憶エリアには、各種データ等が予め記憶されており、また、記録媒体読出部１２から読み出された又は通信部１５を介して受信した撮影画像及び撮影画像に付加された付加情報等の各種データ、複数の画像切替効果を実現するための各種プログラム及びデータを記憶する記憶手段である。
【００９５】
画像切替効果は、スライドショー表示が実行される際において、表示部１４の表示画面上に表示される再生対象画像が次の再生対象画像に切り替えられる際のトランジション効果である。画像切替効果の種類は、例えば、表示されている画像が徐々に消えていくと共に次の画像が現れてくるように画像を切り替える「フェードイン／フェードアウト」、境界線の動きに合わせて表示されている画像を拭き取って次の画像を表示させる「ワイプ」、次の画像が表示画面上の一方向から移動されて切り替えられる「スライド」、表示されている画像が表示画面上の一端部から書籍のページをめくるように切り替える「ページ」、その他「ブラインド」、「カーテン」、「モザイク」等が挙げられる。また、各画像切替効果は、各画像切替効果が開始されてから終了するまでの時間（基準切替効果時間）が予め設定されている。
【００９６】
更に、本実施の形態１の画像切替効果として、位置変化を示す画像切替効果が記憶されている。図７に、表示部１４の表示画面上に表示される画像が位置変化を示す画像切替効果によって切り替わる場合の表示画面の一例を示す。
【００９７】
図７に示すように、位置変化を示す画像切替効果は、表示画面上に画像Ａから画像Ｂに切り替わる際、画像Ａが表示画面上の左上に徐々に縮小されながら消えていき、画像Ｂが表示画面上の右下から徐々に拡大されながら現れてくるように見える画像が表示される。また、図７に示す位置変化を示す画像切替効果は、縮小されならが消えてゆく画像Ａと拡大されながら現れる画像Ｂと間には空白部分が生じている。
【００９８】
このように、位置変化を示す画像切替効果は、表示画面上に表示されている画像が、表示画面上のある位置へ消えてゆき、空白部分を介して次の画像が表示画面上のある位置から現れてくるようにすることで、画像間での撮影位置が異なることをイメージさせる視覚的効果を有するものであり、再生対象画像間に空間的な差異があることを示すことができる。
【００９９】
撮影画像は、静止画像及び動画像を含む意である。付加情報は、撮影画像が撮影された位置を示す撮影位置情報、撮影画像が撮影された際にユーザが撮像装置に対して指定した露出値や望遠値等の撮影制御情報、撮影画像を撮影した撮像装置を判別する機種情報、撮影画像が撮影されたときの撮影時間及び撮影年月日（撮影日付）を示す撮影日時情報を含む。なお、撮影画像が動画像である場合、撮影時間は、動画像が撮影開始時の時間又は撮影終了時の時間のいずれか一方を示す。
【０１００】
撮影位置情報は、撮影画像の撮影時において、撮像装置がＧＰＳ（Global Positioning System）衛星や無線基地局等から受信する電波に基づいて、撮像装置の現在地の緯度及び経度を示す位置信号を算出することにより得られる情報である。
【０１０１】
図８に、記憶部２１に記憶される付加情報が付加された撮影画像の画像データ構成の一例を示す。図８に示すように、画像データＤ１は、撮影時等に付加される撮影画像を識別する画像番号ｄ１、機種情報としてのメーカ名ｄ２及び機種名ｄ３、撮影日時情報ｄ４、撮影位置情報ｄ５、撮影制御情報としての露出値ｄ６及び撮影画像の実画像データｄ１０などから構成されている。
【０１０２】
また、記憶部２１は、スライドショー表示処理が実行される際、撮影日時順に並べ替えられた複数の再生対象画像に対し、撮影日時が隣接する再生対象画像相互間の付加情報の比較結果に基づいて、再生時間を調整するための区切テーブルＤＴを記憶する。
【０１０３】
図９に、記憶部２１に記憶される区切テーブルＤＴの一例を示す。
図９に示すように、区切テーブルＤＴは、撮影日時が隣接する再生対象画像相互間の付加情報の比較結果に基づいて、例えば、「０００２」等の画像番号が記憶されている。
【０１０４】
この記録部２１は、磁気的、光学的記録媒体、若しくは半導体メモリなどＣＰＵ１０で読み取り可能な電気的に消去及び書き替えが可能な不揮発メモリや、揮発メモリなどの記憶媒体を含んだ構成であり、この記憶媒体はＣＤ−ＲＯＭ（Compact Disc Read Only Memory）、メモリカード等の可搬型の媒体やハードディスク等の固定的な媒体を含む。
【０１０５】
次に、本実施の形態２の動作を説明する。
図１０、１１は、本実施の形態２おけるスライドショー表示処理を示す。当該処理及びその処理において実行される各処理は、ＣＰＵ２０と記憶部２１に記憶されたプログラム及びデータとの協働によるソフトウェア処理により実現するものである。
【０１０６】
ステップＳ５１〜５４は、実施の形態１におけるステップＳ１〜４と同様の動作でるため、説明は省略する。
【０１０７】
複数の再生対象画像が撮影日時順に並び替えられた後（ステップＳ５４後）、先頭の再生対象画像が第１画像Ａとして指定され（ステップＳ５５）、指定された第１画像Ａの次順位の再生対象画像が第２画像Ｂとして指定される（ステップＳ５６）。
【０１０８】
指定された第１画像Ａ及び第２画像Ｂの付加情報からそれぞれの撮影位置情報が読み出され（ステップＳ５７）、第１画像Ａと第２画像Ｂとの間の距離Ｌが読み出された撮影位置情報に基づいて算出される（ステップＳ５８）。
【０１０９】
そして、算出された第１画像Ａと第２画像Ｂとの間の距離Ｌが、予め設定されている基準距離（例えば、１０ｋｍ）以上であるか否かが判別される（ステップＳ５９）。
【０１１０】
距離Ｌが基準距離（１０ｋｍ）未満であると判別された場合（ステップ５９；Ｎｏ）、第１画像Ａ及び第２画像Ｂの付加情報からそれぞれの撮影日時情報が読み出され（ステップＳ６０）、第１画像Ａと第２画像Ｂの日付が異なるか否かが判別される（ステップＳ６１）。
【０１１１】
第１画像Ａと第２画像Ｂの日付が異なると判別された場合（ステップＳ６１；Ｙｅｓ）又は距離Ｌが基準距離（１０ｋｍ）以上であると判別された場合（ステップＳ５９；Ｙｅｓ）、第１画像Ａの画像番号が区切テーブルに記憶される（ステップＳ６２）。
【０１１２】
第１画像Ａの画像番号が区切テーブルに記憶された後（ステップＳ６２後）又は第１画像Ａと第２画像Ｂが同一日付と判別された場合（ステップＳ６１；Ｎｏ）、第２画像Ｂは、撮影日時順に並べ替えられた再生対象画像のうち、最終番目の再生対象画像であるか否かが判別される（ステップＳ６３）。
【０１１３】
第２画像Ｂが最終番目の再生対象画像ではないと判別された場合（ステップＳ６３；Ｎｏ）、第２画像Ｂが第１画像Ａとして指定され（ステップＳ６４）、ステップＳ５６に戻る。
【０１１４】
第２画像Ｂが最終番目の再生対象画像であると判別された場合（ステップＳ６３；Ｙｅｓ）、先頭の再生対象画像が指定され（ステップＳ６５）、指定された再生対象画像が表示部１４の表示画面上に表示される（ステップＳ６６）。
【０１１５】
指定された再生対象画像は、表示部１４の表示画面上に表示されてからステップＳ５２において設定された再生時間が経過したか否かが判別され（ステップＳ６７）、再生時間が経過していないと判別された場合（ステップＳ６７；Ｎｏ）、再生時間が経過するまで待機する（ステップＳ６７に戻る）。
【０１１６】
設定された再生時間が経過したと判別された場合（ステップＳ６７；Ｙｅｓ）、設定された全再生対象画像が全て表示されたか否かが判別され（ステップＳ６８）、全再生対象画像が表示されたと判別された場合（ステップＳ６８；Ｙｅｓ）、スライドショー表示が終了される。
【０１１７】
未表示の再生対象画像がある場合（ステップＳ６８；Ｎｏ）、指定された再生対象画像の画像番号は、区切テーブルに記憶されているか否かが判別される（ステップＳ６９）。
【０１１８】
指定された再生対象画像の画像番号が区切テーブルに記憶されていると判別された場合（ステップＳ６９；Ｙｅｓ）、ステップＳ５３で設定された画像切替効果から位置変化を示す画像切替効果に変更されるよう指定される（ステップＳ７０）。
【０１１９】
指定された再生対象画像の画像番号が区切テーブルに記憶されていないと判別された場合（ステップＳ６９；Ｎｏ）、ステップＳ３において画像切替効果設定有りが否かが判別され（ステップＳ７１）、画像切替効果設定有りと判別された場合（ステップＳ７１；Ｙｅｓ）、ステップＳ５３において設定された画像切替効果が指定される（ステップＳ７２）。
【０１２０】
画像切替効果が指定された後（ステップＳ７０又はステップＳ７２後）、次順位の再生対象画像が指定され（ステップＳ７３）、表示されている再生対象画像から次の再生対象画像へ指定された画像切替効果で画像が切り替えられ（ステップＳ７４）、ステップＳ６６に戻る。
【０１２１】
画像切替効果設定無しと判別された場合（ステップＳ７１；Ｎｏ）、次順位の再生対象画像が指定され、次順位の画像が表示される（ステップＳ６６に戻る）。
【０１２２】
このように、本実施の形態２によれば、撮影日時順に並べ替えられた複数の再生対象画像が順次表示される場合（スライドショー表示される場合）、撮影日時が隣接する再生対象画像相互間の撮影位置情報の比較結果に基づく相互間の距離Ｌと撮影日時情報に基づく撮影日付の変化の有無との結果の組み合わせ基づいて、表示部１４に表示される再生対象画像の切り替え時における画像切替効果を制御することができるため、ユーザに対して時間的及び空間的な違和感のないスライドショー表示を実現することができる。
また、再生対象画像相互間の撮影位置の距離Ｌが予め設定されている基準距離以上である場合、画像切替効果を撮影位置が異なることをイメージさせる位置変化を示す画像切替効果とすることができるため、当該画像切替効果相互間に空間的な差異があることを示すことができ、空間的な違和感なくスライドショー表示させることができる。
更に、スライドショー表示される前に、予め再生対象画像相互間の時間経過状況情報（撮影日付の差異の有無）が取得されるため、制御負荷を低減させることができる。
【０１２３】
（変形例）
実施の形態２の変形例を説明する。本変形例は、実施の形態２と装置構成が同様であり、撮影日時が隣接する再生対象画像相互間の撮影位置情報の比較に代えて撮影制御情報（例えば、露出値）を比較し、更に撮影日時情報の比較に代えて機種情報を比較して、表示部１４に表示される再生対象画像の切り替え時における画像切替効果を制御させるため、その他同様の部分の説明を省略する。
【０１２４】
図１２に、本変形例におけるスライドショー表示処理を示す。当該処理及びその処理において実行される各処理は、ＣＰＵ２０と記憶部２１に記憶されたプログラム及びデータとの協働によるソフトウェア処理により実現するものである。
【０１２５】
図１２に示すステップＳ８１〜８６は、実施の形態２のステップＳ５１〜５６と同様の動作であるため、説明は省略する。また、図１２に示すステップＳ９５以降の動作は、実施の形態２のステップＳ６５〜７３と同様であるため、図示及び説明は省略する。
【０１２６】
複数の再生対象画像が撮影日時順に並び替えられ、第１画像Ａ及び第２画像Ｂが指定された後、指定された第１画像Ａ及び第２画像Ｂの付加情報からそれぞれの撮影制御情報としての露出値が読み出され（ステップＳ８７）、第１画像Ａの露出値と第２画像Ｂの露出値が比較される（ステップＳ８８）。
【０１２７】
そして、第１画像Ａと第２画像Ｂとの露出値の比較結果が、一方の露出値よりも他方の露出値が予め設定されている倍率（例えば、２倍）以上であるか否かが判別される（ステップＳ８９）。
【０１２８】
露出値の比較結果が２倍未満であると判別された場合（ステップ８９；Ｎｏ）、第１画像Ａ及び第２画像Ｂの付加情報からそれぞれの機種情報（例えば、機種名）が読み出され（ステップＳ９０）、第１画像Ａと第２画像Ｂの機種名が異なるか否かが判別される（ステップＳ９１）。
【０１２９】
第１画像Ａと第２画像Ｂの機種名が異なると判別された場合（ステップＳ９１；Ｙｅｓ）又は露出値の比較結果が２倍以上であると判別された場合（ステップＳ８９；Ｙｅｓ）、第１画像Ａの画像番号が区切テーブルに記憶される（ステップＳ９２）。
【０１３０】
第１画像Ａの画像番号が区切テーブルに記憶された後（ステップＳ９２後）又は第１画像Ａと第２画像Ｂの機種名が異ならない（同一機種名）と判別された場合（ステップＳ９１；Ｎｏ）、第２画像Ｂは、撮影日時順に並べ替えられた再生対象画像のうち、最終番目の再生対象画像であるか否かが判別される（ステップＳ９３）。
【０１３１】
第２画像Ｂが最終番目の再生対象画像ではないと判別された場合（ステップＳ９３；Ｎｏ）、第２画像Ｂが第１画像Ａとして指定され（ステップＳ９４）、ステップＳ８６に戻る。
【０１３２】
第２画像Ｂが最終番目の再生対象画像であると判別された場合（ステップＳ９３；Ｙｅｓ）、先頭の再生対象画像が指定され（ステップＳ９５）、実施の形態２のステップＳ６６に進む。
【０１３３】
このように、本変形例によれば、撮影日時順に並べ替えられた複数の再生対象画像が順次表示される場合（スライドショー表示される場合）、撮影日時が隣接する再生対象画像相互間の露出値の比較結果と機種名の比較結果との組み合わせ基づいて、相互間の露出値の差が予め設定された値よりも大きい場合又は機種名が異なる場合は、表示部１４に表示される再生対象画像の切り替え時における画像切替効果を制御することができるため、ユーザに対して再生対象画像相互間の露出値の差異によって異なる空間的な違和感及び撮像装置の性能の差異によって異なる空間的な違和感のないスライドショー表示を実現することができる。
【図面の簡単な説明】
【０１３４】
【図１】実施の形態１における画像処理装置１の構成を示すブロック図である。
【図２】表示部１４の表示画面上に表示される画像が時間経過を示す画像切替効果によって切り替わる場合の表示画面の一例である。
【図３】実施の形態１おけるスライドショー表示処理である。
【図４】実施の形態１おけるスライドショー表示処理である（図３の続き）。
【図５】実施の形態１の変形例におけるスライドショー表示処理である。
【図６】実施の形態２における画像処理装置２の構成を示すブロック図である。
【図７】表示部１４の表示画面上に表示される画像が位置変化を示す画像切替効果によって切り替わる場合の表示画面の一例である。
【図８】記憶部２１に記憶される付加情報が付加された撮影画像の画像データ構成の一例である。
【図９】記憶部２１に記憶される区切テーブルＤＴの一例である。
【図１０】実施の形態２おけるスライドショー表示処理である。
【図１１】実施の形態２おけるスライドショー表示処理である（図１０の続き）。
【図１２】実施の形態２の変形例におけるスライドショー表示処理である。
【符号の説明】
【０１３５】
１、２  画像処理装置
１０、２０  ＣＰＵ
１１、２１  記憶部
１２  記録媒体読出部
１３  入力部
１４  表示部
１５  通信部
１６  バス
Ｄ１  画像データ
ｄ１  画像番号
ｄ２  メーカ名
ｄ３  機種名
ｄ４  撮影日時情報
ｄ５  撮影位置情報
ｄ６  露出値
ｄ１０  実画像データ
ＤＴ  区切テーブル
ｄ２１、ｄ２２  画像番号
Ｌ  距離
Ｔ  基準切替効果時間
Ｔｃ  切替効果時間
Ｔｉ  時間間隔
【図１】
2006260029.tif 000003
【図２】
2006260029.tif 000004
【図３】
2006260029.tif 000005
【図４】
2006260029.tif 000006
【図５】
2006260029.tif 000007
【図６】
2006260029.tif 000008
【図７】
2006260029.tif 000009
【図８】
2006260029.tif 000010
【図９】
2006260029.tif 000011
【図１０】
2006260029.tif 000012
【図１１】
2006260029.tif 000013
【図１２】
2006260029.tif 000014